(57)【要約】【課題】電気ヒータなどを用いること無く、冷却ユニットからのドレン水を効果的に処理できるドレン水処理装置を提供する。【解決手段】ドレン水処理装置２２は、冷却ユニット６と、当該冷却ユニット６からのドレン水を排出するための排水パイプ２１との間に設けられ、ドレン水を貯溜して蒸発処理する蒸発皿３１を備え、この蒸発皿３１を冷却ユニット６の排気風路中に配置した。蒸発皿３１及び当該蒸発皿３１を覆う通気性を有したカバー３５を熱良導性材料にて構成し、冷却ユニット６の外板２３と交熱的に配置した。【選択図】　　　図２
2004069227.tif 000002
【特許請求の範囲】
【請求項１】
冷却ユニットと、当該冷却ユニットからのドレン水を排出するための排水パイプとの間に設けられ、前記ドレン水を貯溜して蒸発処理する蒸発皿を備え、該蒸発皿を前記冷却ユニットの排気風路中に配置したことを特徴とする冷却ユニットのドレン水処理装置。
【請求項２】
前記蒸発皿及び当該蒸発皿を覆う通気性を有したカバーを熱良導性材料にて構成し、前記冷却ユニットの外板と交熱的に配置したことを特徴とする請求項１の冷却ユニットのドレン水処理装置。
【請求項３】
前記蒸発皿に前記ドレン水を導入し、或いは、当該蒸発皿から前記排水パイプにドレン水を流出させるためのドレンソケットを備え、
該ドレンソケットは下向きに開口してドレン水を導入し、或いは、上向きに開口してドレン水を流出させると共に、該開口縁には切込が形成されていることを特徴とする請求項１又は請求項２の冷却ユニットのドレン水処理装置。
【請求項４】
前記ドレン水を導入するドレンソケットの開口周囲を囲繞するかたちで前記蒸発皿内に隔離壁を形成し、該隔離壁の高さを前記蒸発皿の高さより低く、前記切込よりも高くしたことを特徴とする請求項３の冷却ユニットのドレン水処理装置。
【請求項５】
前記蒸発皿内に吸水性の蒸発促進部材を設置すると共に、該蒸発促進部材を前記蒸発皿の底面より浮かせて保持する保持壁を前記蒸発皿に形成したことを特徴とする請求項１、請求項２、請求項３又は請求項４の冷却ユニットのドレン水処理装置。
【請求項６】
前記保持壁により、前記ドレンソケットから前記排水パイプに至る迂回したドレン水流路を前記蒸発皿内に構成したことを特徴とする請求項５の冷却ユニットのドレン水処理装置。
【発明の詳細な説明】
【０００１】
【発明の属する技術分野】
本発明は、例えば農産物や食材などを保存する冷却庫などの冷却ユニットから生じるドレン水を処理する処理装置に関するものである。
【０００２】
【従来の技術】
従来よりこの種冷却庫は、庫内に農産物や食材を収納し、冷却ユニットによって庫内を所定温度に冷却するものであるが、冷却ユニットの蒸発器には着霜が生じるため、この蒸発器は定期的に或いは任意に除霜される。この場合に蒸発器から滴下するドレン水は冷却ユニット内の露受皿にて受け止められ、この露受皿に接続された排水パイプにて外部のバケツやドレンタンクなどに排出されるものであった。また、排水溝が完備されている場所では排水パイプを直接排水溝に引き入れていた。
【０００３】
【発明が解決しようとする課題】
ところで、このような冷却庫、特に農産物用の冷却庫などは通常物置などに設置されるため、殆どメンテナンスされることがない。従って、排水溝が完備されていない場所では、排水パイプからのドレン水がバケツやドレンタンクから溢れ出し、床面が浸水してしまう問題があるため、定期的にバケツやドレンタンクからドレン水を廃棄する必要がある。
【０００４】
また、排水溝が完備されているところでも排水パイプを排水溝まで引き入れる工事が必要となる。一方、例えば低温ショーケースなどでは特開平８−９４２３８号公報に示されるような蒸発装置を設置しており、これを上述のような冷却庫にも適用することが考えられるが、電気ヒータにてドレン水を蒸発させることを基本としているため、ランニングコストが高騰する問題がある。
【０００５】
本発明は、係る従来の技術的課題を解決するために成されたものであり、電気ヒータなどを用いること無く、冷却ユニットからのドレン水を効果的に処理できるドレン水処理装置を提供するものである。
【０００６】
【課題を解決するための手段】
本発明のドレン水処理装置は、冷却ユニットと、当該冷却ユニットからのドレン水を排出するための排水パイプとの間に設けられ、ドレン水を貯溜して蒸発処理する蒸発皿を備え、この蒸発皿を冷却ユニットの排気風路中に配置したことを特徴とする。
【０００７】
本発明の冷却ユニットのドレン水処理装置によれば、冷却ユニットと、当該冷却ユニットからのドレン水を排出するための排水パイプとの間に、ドレン水を貯溜して蒸発処理する蒸発皿を設け、この蒸発皿を冷却ユニットの排気風路中に配置したので、冷却ユニットから出るドレン水を蒸発皿に一旦貯溜し、蒸発処理することが可能となる。これにより、排水パイプから排出されるドレン水を無くし、或いは、削減してメンテナンス作業性を著しく改善することができるようになる。
【０００８】
この場合、蒸発皿内のドレン水は電気ヒータなどを用いること無く、冷却ユニットからの排気の熱を利用して円滑に処理されるので、ランニングコストの削減を図ることもできるようになるものである。
【０００９】
請求項２の発明の冷却ユニットのドレン水処理装置は、上記において蒸発皿及び当該蒸発皿を覆う通気性を有したカバーを熱良導性材料にて構成し、冷却ユニットの外板と交熱的に配置したことを特徴とする。
【００１０】
請求項２の発明によれば、上記に加えて蒸発皿及び当該蒸発皿を覆う通気性を有したカバーを熱良導性材料にて構成し、冷却ユニットの外板と交熱的に配置したので、冷却ユニットからの廃熱をより一層効果的に利用して蒸発皿内のドレン水を蒸発処理することができるようになるものである。
【００１１】
請求項３の発明の冷却ユニットのドレン水処理装置は、上記各発明において蒸発皿にドレン水を導入し、或いは、当該蒸発皿から排水パイプにドレン水を流出させるためのドレンソケットを備え、このドレンソケットは下向きに開口してドレン水を導入し、或いは、上向きに開口してドレン水を流出させると共に、開口縁には切込が形成されていることを特徴とする。
【００１２】
請求項３の発明によれば、上記各発明に加えて蒸発皿にドレン水を導入し、或いは、当該蒸発皿から排水パイプにドレン水を流出させるためのドレンソケットを備え、このドレンソケットは下向きに開口してドレン水を導入するので、冷却ユニットからのドレン水が蒸発皿外に漏れ出てしまう不都合、及び、ドレンソケットから冷却ユニット側に外気が侵入する不都合を効果的に解消できるようになる。また、上向きに開口してドレン水を流出させるので、蒸発皿の貯水容量を増やすことができるようになる。
【００１３】
特に、ドレンソケットの開口縁には切込が形成されているので、下向きに開口させた際には異物が堆積して開口縁が塞がれてしまう不都合を解消若しくは抑制できるようになると共に、上向きに開口させた際には表面張力を抑えて円滑にドレン水を流出させることができるようになるものである。
【００１４】
請求項４の発明の冷却ユニットのドレン水処理装置は、上記においてドレン水を導入するドレンソケットの開口周囲を囲繞するかたちで蒸発皿内に隔離壁を形成し、この隔離壁の高さを蒸発皿の高さより低く、切込よりも高くしたことを特徴とする。
【００１５】
請求項４の発明によれば、上記に加えてドレン水を導入するドレンソケットの開口周囲を囲繞するかたちで蒸発皿内に隔離壁を形成し、この隔離壁の高さを蒸発皿の高さより低く、切込よりも高くしたので、ドレン水が少ない時期でも、ドレン水を導入するドレンソケットの開口縁を確実に水没させ、冷却ユニットへの外気の侵入を防ぐことが可能となるものである。
【００１６】
請求項５の発明の冷却ユニットのドレン水処理装置は、上記各発明において蒸発皿内に吸水性の蒸発促進部材を設置すると共に、この蒸発促進部材を蒸発皿の底面より浮かせて保持する保持壁を蒸発皿に形成したことを特徴とする。
【００１７】
請求項５の発明によれば、上記各発明に加えて蒸発皿内に吸水性の蒸発促進部材を設置しているので、この蒸発促進部材により蒸発皿内のドレン水を吸い上げ、迅速に蒸発させることができるようになる。特に、この蒸発促進部材を蒸発皿の底面より浮かせて保持する保持壁を蒸発皿に形成しているので、蒸発促進部材が乾燥して湿るサイクルを減少させ、寿命の延長を図ることができるようになる。また、蒸発皿内に堆積する異物によって蒸発促進部材が汚損される不都合も解消できるようになるものである。
【００１８】
請求項６の発明の冷却ユニットのドレン水処理装置は、上記において保持壁により、ドレンソケットから排水パイプに至る迂回したドレン水流路を蒸発皿内に構成したことを特徴とする。
【００１９】
請求項６の発明によれば、上記に加えて保持壁により、ドレンソケットから排水パイプに至る迂回したドレン水流路を蒸発皿内に構成しているので、ドレン水が蒸発皿内に滞留する時間を延長し、蒸発を促進させることができるようになる。また、ドレン水と蒸発皿との熱交換面積も増えるので、これによっても蒸発の促進を図ることが可能となるものである。
【００２０】
【発明の実施の形態】
以下、図面に基づき本発明の実施形態を詳述する。図１は本発明を適用する冷却庫１の斜視図、図２は冷却庫１の平面図、図３は冷却庫１上部の断面図をそれぞれ示している。
【００２１】
各図において、実施例の冷却庫１は物置などに設置されて農産物などの冷却保存に使用されるものであり、前面に開口する断熱箱体２から本体が構成されている。この断熱箱体２内に貯蔵室３が構成され、この貯蔵室３の前面開口は断熱扉４にて開閉自在に閉塞されている。そして、この断熱箱体２の天面に冷却ユニット６が設置されている。
【００２２】
この冷却ユニット６が、ユニットベース７上の向かって左側に前から凝縮器８、凝縮器用送風機９及び圧縮機１１を並べて設置し、右側には内部に蒸発器１２及び蒸発器用送風機１３が設けられた断熱箱１４を設置して構成されている。この断熱箱１４は下方に開口しており、ユニットベース７が断熱箱体２の天面に設置された状態で、連通孔１６、１７を介し、貯蔵室３内に連通している。また、蒸発器１２の下側には露受皿１８が設けられ、この露受皿１８に連結された連絡管１９は断熱箱１４から後方に引き出されている。そして、通常はこの連絡管１９に排水パイプ２１の上端が連結されるが、本発明ではここに後述するドレン水処理装置２２が取り付けられる。尚、排水パイプ２１の下端は図示しないドレンタンクや排水溝に連通されることになる。
【００２３】
また、冷却ユニット６の周囲は金属製（熱良導性材料）の外板２３にて覆われている。そして、凝縮器８の前側に対応する位置の外板２３には吸気口２４が形成され、圧縮機１１の後側に対応する位置には排気口２６が形成されている。そして、本発明のドレン水処理装置２２は係る冷却ユニット６の後側に対応して断熱箱体２の天面に設置されることになる。
【００２４】
本発明のドレン水処理装置２２は、横長長方形の容器状を呈した金属製（熱良導性材料）の蒸発皿３１と、硬質剛性樹脂製のドレンソケット３２、３３と、不織布などの吸水性材料から構成された板状の蒸発促進部材３４・・・と、これらを覆う金属製（熱良導性材料）のカバー３５などから構成されている。
【００２５】
前記ドレンソケット３２、３３は何れも同一形状のものであり、図４、図５に示す如く有底円筒状を呈し、その円筒の軸方向一端の開口３６の縁部には複数の切込３７・・・が形成されている。また、他端側の側面には接続口３８が形成されており、この接続口３８に前記連絡管１９や排水パイプ２１が接続されることになる。
【００２６】
一方、蒸発皿３１内の向かって右前隅部には図６に示すように隔離壁４１が起立形成され、この隅部をそれ以外の箇所から区画している。隔離壁４１の高さは蒸発皿３１の高さより低い。また、蒸発皿３１の底面には保持壁４２・・・が複数起立形成されている。この保持壁４２・・・は蒸発皿３１の後側内面から前方に向かうものと前側内面から後方に向かうものとが所定間隔を存して交互に形成されており、後側内面から前方に向かうものの先端は前側内面から離間し、前側内面から後方に向かうものの先端は後側内面から離間している。これにより、蒸発皿３１内には図７に示すような迂回したドレン水流路が構成される。この保持壁４２・・・の高さは蒸発皿３１及び隔離壁４１の高さよりも低く形成されている。
【００２７】
前記蒸発促進部材３４・・・は図９に示すようにスペーサ４４・・により所定間隔を存して平行となるように組み立てられる。各蒸発促進部材３４・・・の間隔は前記保持壁４２・・・の間隔に略合致している。そして、スペーサ４４・・が保持壁４２・・・上に載置されることで各蒸発促進部材３４・・・は各保持壁４２・・・に沿ったかたちで蒸発皿４１内に保持される。このとき、蒸発促進部材３４・・・の下端は保持壁４２・・・の上端と同じ高さにあり、蒸発皿３１の底面から浮いており上部は蒸発皿３１上方まで突出する。
【００２８】
そして、連絡管１９の後部は蒸発皿３１右前部の挿入孔３１Ａから蒸発皿３１内に挿入され、当該連絡官１９の後端にドレンソケット３２が接続される。このとき、ドレンソケット３２の開口３６は下向きとされ、蒸発皿３１の底面上に開口する。また、係るドレンソケット３２の開口３６の周囲を隔離壁４１が囲繞するかたちとなる。このとき、開口３６の切込３７は隔離壁４１より低い位置となる。また、排水パイプ２１の上部は蒸発皿３１左後部の挿入孔３１Ｂから蒸発皿３１内に挿入され、当該排水パイプ２１の前端にドレンソケット３３が接続される。このとき、ドレンソケット３３の開口３６は上向きとされ、蒸発皿３１の高さより低い高さで開口する。そして、前記保持壁４２・・はこのドレンソケット３２（連絡管１９）からドレンソケット３３（排水パイプ２１）に至る迂回したドレン水流路を蒸発皿３１内に構成することになる。
【００２９】
尚、排水パイプ２１の下端は前述した如く図示しない断熱箱体２下方のドレンタンクやバケツ或いは排水溝に引き入れられることになる。そして、係る蒸発皿３１及び蒸発促進部材３４・・・などを覆うかたちでカバー３５が取り付けられ、蒸発皿３１に固定される。このとき、カバー３５は冷却ユニット６の外板２３に交熱的に当接すると共に、カバー３５の前面には外板２３の排気口２６に対応する位置に吸気口４５が形成され、カバー３６の後面には排気口４６が形成されている。
【００３０】
以上の構成で圧縮機１１が運転されると蒸発器１２が冷却作用を発揮する。貯蔵室３内の空気は蒸発器用送風機１３によって連通孔１６から断熱箱１４内に吸い込まれ、連通孔１７から貯蔵室３内に吐出される。これにより、貯蔵室３内は所定の温度に冷却される。一方、凝縮器用送風機９も運転され、吸気口２４から外気を吸い込む。この外気は凝縮器８、圧縮機１１を経てそれらを空冷し、温度が上昇した後、排気口２６から後方に排出される。この排気はカバー３５の吸気口４５からドレン水処理装置２２内に入り、蒸発皿３１や蒸発促進部材３４・・の周囲を通過して排気口４６から排出される（排気経路を図２に矢印で示す）。
【００３１】
一方、係る冷却運転で蒸発器１２には着霜が成長するので、蒸発器１２は除霜が行われる。この除霜は例えば図示しない電気ヒータなどで蒸発器１２を加熱することで実行される。係る除霜によって融解した霜はドレン水となり、露受皿１８上に滴下し、連絡管１９を通ってドレンソケット３２から蒸発皿３１内の右前部に導入される。このとき、ドレンソケット３２の開口３６は下向きなっているので、回り込みによりドレン水が蒸発皿３１外に零れることもない。そして、この蒸発皿３１内に導入されたドレン水は先ず隔離壁４１内に溜まり、そこから溢れて保持壁４２・・にて構成されたドレン水流路を迂回しながら流れ、最終的に蒸発皿３１の左後部に至る。このように迂回した流れとなることで、蒸発皿３１内においてドレン水が滞留する時間が延長されることになる。
【００３２】
そして、ドレンソケット３３の上端の開口３６の高さに水位が上がるまではドレン水は蒸発皿３１内に貯溜されるかたちとなる。上述のようにドレン水処理装置２２には冷却ユニット６からの暖かい排気が流通されており、また、カバー３５及び蒸発皿３１は外板２３からの熱伝導で加熱されるので、蒸発皿３１内のドレン水は円滑に蒸発していく。また、水位が保持壁４２よりも高く上昇した場合は、蒸発促進部材３４・・の下端がドレン水に浸漬されるようになるので、その時点からドレン水は毛細管現象で蒸発促進部材３４・・に吸い上げられ、以後は更に広い面積にて蒸散されるようになる。
【００３３】
ここで、蒸発促進部材３４が頻繁に浸漬され、その後乾燥するサイクルを繰り返すと、吸水・蒸散作用が劣化するが、本発明では保持壁４２の高さまで水位が上昇した場合に蒸発促進部材３４にドレン水が吸い上げられるようにしているので、蒸発促進部材３４の寿命延長を図れる。また、この保持壁４２により蒸発促進部材３４がドレン水に浸漬される時間が短縮されるので、ドレン水に含まれるカビや塵埃から蒸発促進部材３４はできるだけ保護されることになる。
【００３４】
尚、夏場などのドレン水が増大した場合は、蒸発皿３１内の水位がドレンソケット３３の上端の開口３６まで上がった時点で排水パイプ２１に流出することになる。即ち、できるだけ排水パイプ２１に流出するドレン水の量を削減できるので、ドレンタンクやバケツ内のドレン水を処理するメンテナンスが省けるようになる。このとき、ドレンソケット３３の上端に位置する開口３６の縁部には切込３７が形成されているので、表面張力によってドレン水がドレンソケット３３内に流入し難くなることも無くなり、ドレン水は円滑に排水パイプ２１に流出するようになる。
【００３５】
一方、ドレンソケット３２の周囲には隔離壁４１があるので、ドレン水が少ない冬場などにも隔離壁４１内には開口３６及び切込３７を液封するために必要最小限の水位が確保される。これにより、連絡管１９を経て冷却ユニット６内に外気が逆流入する不都合を効果的に回避し、貯蔵室３内の冷却不良の発生を防止できるようになる。また、下端に位置する開口３６の縁部には切込３７が形成されているので、蒸発皿３１内の底面に異物が堆積しても開口３６が塞がれることが無くなる。
【００３６】
以上詳述した如く本発明では冷却ユニット６と、冷却ユニット６からのドレン水を排出するための排水パイプ２１との間に、ドレン水を貯溜して蒸発処理する蒸発皿３１を設け、この蒸発皿３１を冷却ユニット６の排気風路中に配置したので、冷却ユニット６から出るドレン水を蒸発皿３１に一旦貯溜し、蒸発処理することが可能となる。これにより、排水パイプ２１から排出されるドレン水を無くし、或いは、削減してメンテナンス作業性を著しく改善することができるようになる。
【００３７】
この場合、蒸発皿３１内のドレン水は電気ヒータなどを用いること無く、冷却ユニット６からの排気の熱を利用して円滑に処理されるので、ランニングコストの削減を図ることもできるようになる。
【００３８】
また、蒸発皿３１及び当該蒸発皿３１を覆うカバー３５を金属製として冷却ユニット６の外板２３と交熱的に配置したので、冷却ユニット６からの廃熱をより一層効果的に利用して蒸発皿３１内のドレン水を蒸発処理することができるようになる。更に、蒸発皿３１にドレン水を導入し、或いは、当該蒸発皿３１から排水パイプ２１にドレン水を流出させるためのドレンソケット３２、３３を備え、ドレンソケット３２は下向きに開口してドレン水を導入するので、冷却ユニット６からのドレン水が蒸発皿３１外に漏れ出てしまう不都合、及び、ドレンソケット３２から冷却ユニット６側に外気が侵入する不都合を効果的に解消できるようになる。また、ドレンソケット３３は上向きに開口してドレン水を流出させるので、蒸発皿３１の貯水容量を増やすことができるようになる。
【００３９】
特に、ドレンソケット３２、３３の開口縁には切込３７が形成されているので、下向きに開口するドレンソケット３２では異物が堆積して開口縁が塞がれてしまう不都合を解消若しくは抑制できるようになると共に、上向きに開口するドレンソケット３３では表面張力を抑えて円滑にドレン水を流出させることができるようになる。
【００４０】
更に、ドレン水を導入するドレンソケット３２の開口３６の周囲を囲繞するかたちで蒸発皿３１内に隔離壁４１を形成し、この隔離壁４１の高さを蒸発皿３１の高さより低く、切込３７よりも高くしたので、ドレン水が少ない時期でも、ドレン水を導入するドレンソケット３２の開口縁を確実に水没させ、冷却ユニット６への外気の侵入を防ぐことが可能となる。
【００４１】
また、蒸発皿３１内に吸水性の蒸発促進部材３４・・を設置しているので、この蒸発促進部材３４により蒸発皿３１内のドレン水を吸い上げ、迅速に蒸発させることができるようになる。特に、この蒸発促進部材３４を蒸発皿３１の底面より浮かせて保持する保持壁４２を蒸発皿３１に形成しているので、蒸発促進部材３４が乾燥して湿るサイクルを減少させ、寿命の延長を図ることができるようになる。また、蒸発皿３１内に堆積する異物によって蒸発促進部材３４が汚損される不都合も解消できるようになる。
【００４２】
特に、保持壁４２により、ドレンソケット３２から排水パイプ２１に至る迂回したドレン水流路を蒸発皿３１内に構成しているので、ドレン水が蒸発皿３１内に滞留する時間を延長し、蒸発を促進させることができるようになる。また、ドレン水と蒸発皿３１との熱交換面積も増えるので、これによっても蒸発の促進を図ることが可能となる。
【００４３】
尚、実施例では農産物用の冷却庫に本発明を適用したが、冷却ユニットを有する各種装置に採用可能であることは云うまでもない。
【００４４】
【発明の効果】
以上詳述した如く、本発明の冷却ユニットのドレン水処理装置によれば、冷却ユニットと、当該冷却ユニットからのドレン水を排出するための排水パイプとの間に、ドレン水を貯溜して蒸発処理する蒸発皿を設け、この蒸発皿を冷却ユニットの排気風路中に配置したので、冷却ユニットから出るドレン水を蒸発皿に一旦貯溜し、蒸発処理することが可能となる。これにより、排水パイプから排出されるドレン水を無くし、或いは、削減してメンテナンス作業性を著しく改善することができるようになる。
【００４５】
この場合、蒸発皿内のドレン水は電気ヒータなどを用いること無く、冷却ユニットからの排気の熱を利用して円滑に処理されるので、ランニングコストの削減を図ることもできるようになるものである。
【００４６】
請求項２の発明によれば、上記に加えて蒸発皿及び当該蒸発皿を覆う通気性を有したカバーを熱良導性材料にて構成し、冷却ユニットの外板と交熱的に配置したので、冷却ユニットからの廃熱をより一層効果的に利用して蒸発皿内のドレン水を蒸発処理することができるようになるものである。
【００４７】
請求項３の発明によれば、上記各発明に加えて蒸発皿にドレン水を導入し、或いは、当該蒸発皿から排水パイプにドレン水を流出させるためのドレンソケットを備え、このドレンソケットは下向きに開口してドレン水を導入するので、冷却ユニットからのドレン水が蒸発皿外に漏れ出てしまう不都合、及び、ドレンソケットから冷却ユニット側に外気が侵入する不都合を効果的に解消できるようになる。また、上向きに開口してドレン水を流出させるので、蒸発皿の貯水容量を増やすことができるようになる。
【００４８】
特に、ドレンソケットの開口縁には切込が形成されているので、下向きに開口させた際には異物が堆積して開口縁が塞がれてしまう不都合を解消若しくは抑制できるようになると共に、上向きに開口させた際には表面張力を抑えて円滑にドレン水を流出させることができるようになるものである。
【００４９】
請求項４の発明によれば、上記に加えてドレン水を導入するドレンソケットの開口周囲を囲繞するかたちで蒸発皿内に隔離壁を形成し、この隔離壁の高さを蒸発皿の高さより低く、切込よりも高くしたので、ドレン水が少ない時期でも、ドレン水を導入するドレンソケットの開口縁を確実に水没させ、冷却ユニットへの外気の侵入を防ぐことが可能となるものである。
【００５０】
請求項５の発明によれば、上記各発明に加えて蒸発皿内に吸水性の蒸発促進部材を設置しているので、この蒸発促進部材により蒸発皿内のドレン水を吸い上げ、迅速に蒸発させることができるようになる。特に、この蒸発促進部材を蒸発皿の底面より浮かせて保持する保持壁を蒸発皿に形成しているので、蒸発促進部材が乾燥して湿るサイクルを減少させ、寿命の延長を図ることができるようになる。また、蒸発皿内に堆積する異物によって蒸発促進部材が汚損される不都合も解消できるようになるものである。
【００５１】
請求項６の発明によれば、上記に加えて保持壁により、ドレンソケットから排水パイプに至る迂回したドレン水流路を蒸発皿内に構成しているので、ドレン水が蒸発皿内に滞留する時間を延長し、蒸発を促進させることができるようになる。また、ドレン水と蒸発皿との熱交換面積も増えるので、これによっても蒸発の促進を図ることが可能となるものである。
【図面の簡単な説明】
【図１】本発明を適用する冷却庫の斜視図である。
【図２】図１は冷却庫の平面図である。
【図３】図１の冷却庫上部の断面図である。
【図４】本発明のドレン水処理装置のドレンソケットの側面図である。
【図５】図４のドレンソケットの下面部である。
【図６】本発明のドレン水処理装置のカバーを除く平面図である。
【図７】図６のドレン水処理装置の蒸発皿の平面図である。
【図８】図６のドレン水処理装置の蒸発皿及び蒸発促進部材の側面図である。
【図９】図６のドレン水処理装置の蒸発促進部材の平面図である。
【符号の説明】
１　冷却庫
６　冷却ユニット
８　凝縮器
９　凝縮器用送風機
１１　圧縮機
１２　蒸発器
１８　露受皿
１９　連絡管
２１　排水パイプ
２２　ドレン水処理装置
２３　外板
３１　蒸発皿
３２、３３　ドレンソケット
３４　蒸発促進部材
３５　カバー
３６　開口
３７　切込
４１　隔離壁
４２　保持壁
【図１】
2004069227.tif 000003
【図２】
2004069227.tif 000004
【図３】
2004069227.tif 000005
【図４】
2004069227.tif 000006
【図５】
2004069227.tif 000007
【図６】
2004069227.tif 000008
【図７】
2004069227.tif 000009
【図８】
2004069227.tif 000010
【図９】
2004069227.tif 000011